(57)【要約】【課題】  従来のチェーンソーの本体内部に切り粉が溜まる問題を解決し、安全面、メンテナンス面での向上を図る。【解決手段】  切断刃付きチェーンがスプロケットに取り付けられて、駆動部によってスプロケットが回転し、チェーンがガイドバーを周回することで、木材等を切断するチェーンソーにおいて、前記チェーンを回転させるスプロケットの台座部分に遠心ファンを設けスプロケットと一体化する構成とした。これにより、スプロケットの回転と共に遠心ファンが回転し、それによって発生する風によってチェーンソー本体内がかき回され、切り粉がチェーンソーのフレーム底部から吐き出されるようになる。【選択図】図３
2010221517.tif 000002
【特許請求の範囲】
【請求項１】
切断刃が取り付けられたチェーンの回転によって木材等を切断するチェーンソーにおいて、
前記チェーンを回転させるスプロケットの台座部に、円弧状のブレードを等配に配した遠心ファンを設けたことを特徴とするチェーンソー。
【請求項２】
前記ブレードが前記スプロケットと一体に形成されたことを特徴とする請求項１記載のチェーンソー。
【発明の詳細な説明】
【技術分野】
【０００１】
本発明は、木材等を切断するためのチェーンソーに関する。
【背景技術】
【０００２】
丸太や角材等の太い木材を切断するために用いられる工具として電動機やエンジンで駆動するチェーンソーが知られている。
【０００３】
従来のチェーンソーの構成として、本体ケーシングに、スプロケット、ガイドバーが取り付けられ、このスプロケットおよびガイドバーに刃付きのチェーンが取り付けられている。（特許文献１参照）
【０００４】
図４より、従来のチェーンソーの構成について説明する。チェーンソーは、２つに分かれるフレーム１０６からなる。そして、このフレーム１０６の中には、固定子１０７と回転子１０８からなる電動機が収められている。この回転子１０８のシャフト１０９の両先端にはベアリング１１０が取り付けられ、ベアリングブラケット１１１にて摺動支持されている。このシャフト１０９の一方の先端は、ベアリングブラケット１１１を貫通し、その先端にピニオンギア１１２が取り付けられている。スプロケット１０１は、図示する面と反対の面は凹状となっており、その内側側壁はギアの形状となっており、前記ピニオンギア１１２と噛合している。
【０００５】
前記スプロケット１０１の近傍には、ガイドバー１１３が前記フレーム１０６ａに取り付けられ、フレーム１０６内から外へ延出している。そして、前記スプロケット１０１および前記ガイドバー１１３に切断刃付きのチェーン１１４が取り付けられている。スプロケットサポート１１５は、スプロケット１０１とチェーン１１４の噛合部分を保護し、スプロケットカバー１１６によって、スプロケット１０１やガイドバー１１３を覆って、これら部品をフレーム１０１内に収納している。フロントハンドガード１１７は、フレーム１０６ａに形成されたハンドルの前面に設けられ、チェーンソー使用中に飛散する木材片や枝などから使用者の手を保護するためのものである。
【０００６】
前記電動機の駆動により前記回転子１０８が回転し、前記ピニオンギア１１２を介して前記スプロケット１０１が回転することになる。スプロケット１０１の回転により、前記チェーン１１４が、ガイドバー１１３に沿って周回することで、木材を切断することができる。
【０００７】
前記チェーンソーに関する構成は、電動機で駆動するチェーンソーについて説明したが、エンジン駆動のものでも構わない。
【先行技術文献】
【特許文献】
【０００８】
【特許文献１】特開２０００−１９８１０１号公報
【発明の概要】
【発明が解決しようとする課題】
【０００９】
以上のような、従来のチェーンソーの構造では、図５に示すように、前記スプロケット１０１の直下には、フレーム１０６底部に開口部１１８が形成されており、木材の切断により発生する切り粉が溜まらないようにしている。しかし、それだけでは、切り粉の排出が十分でなく、隙間１１９に溜まることになる。切り粉が溜まることにより、チェーンの駆動が悪くなり、最悪チェーンが外れる危険性が高まる。そのため、頻繁に本体を分解して清掃する必要があり、メンテナンスが面倒であった。
【００１０】
本発明は、前記従来の問題を顧みて、チェーンソー本体内に切り粉が溜まらないような機構にし、安全面・メンテナンス面で向上したチェーンソーを提供するものである。
【課題を解決するための手段】
【００１１】
請求項１の発明は、切断刃が取り付けられたチェーンの回転によって木材等を切断するチェーンソーにおいて、前記チェーンを回転させるスプロケットの台座部に、円弧状のブレードを等配に配した遠心ファンを設けたことを特徴とするチェーンソーに関するものである。
【００１２】
請求項２の発明は、前記ブレードが前記スプロケットと一体に形成されたことを特徴とする請求項１記載のチェーンソーに関するものである。
【発明の効果】
【００１３】
本発明のチェーンソーであると、木材切断時に発生する切り粉がチェーンソー内に入り込んでも、スプロケットに設けられた遠心ファンにより発生する風により本体内でかき回され、フレーム底部の開口部から、切り粉が外部へ確実に排出されるようになる。
【００１４】
切り粉が排出され、チェーンソー本体内に切り粉が溜まらなくなることで、チェーンが外れるなどの問題が少なくなり、また、メンテナンスの時間が少なくなるチェーンソーを提供することができる。
【図面の簡単な説明】
【００１５】
【図１】本発明のスプロケットの平面図である。
【図２】本発明のスプロケットの側面図である。
【図３】本発明のチェーンソーのフレーム内面図である。
【図４】従来のチェーンソーの分解図である。
【図５】従来のチェーンソーのフレーム内面図である。
【発明を実施するための形態】
【００１６】
以下、本発明の実施の形態を図１〜図３に基づいて説明する。また、本発明のチェーンソー全体の構造に関して、前述した従来の構成とはスプロケットの形状以外に差異は特に無いため、説明は省略する。
【００１７】
図１より、本発明のスプロケット１は、前記チェーン１１４と噛合するギア部２と、このギア部２の半分をインサート成形する樹脂材料性の台座部３とよりなる。この台座部３のギア部２側の面に、本発明の特徴である円弧状のブレード４を等配に配すことで遠心ファン５を形成している。
【００１８】
図２より、前記台座部３は、２段になっており、上段の方は、下段よりも径が小さく形成されており、下段の径の１／３ぐらいで形成されており、ギア部２が設けられている。下段の方は図示しないが、底面が凹状に形成されており、その内周側面は前記ピニオンギア１１２と噛合している。
【００１９】
本発明のファン５は、遠心方向へ風を流す遠心ファンである。ファン５は、前記台座部３の上段の側面から突出するようにブレード４が形成されている。ブレード４の軸方向高さは、台座部３の上段の高さより低くすることで、チェーン１１４がブレード４に当らないようになっている。
【００２０】
ブレード４は、台座部３と異なる部材で台座部３にインサート成形して設ける方法もあるが、台座部３と同部材で一体に成形する方がコスト面及び成形し易さにおいて優れている。また、台座部３を金属部材で形成することで、前記ピニオンギア１０７との噛合部分の耐久性は高くなるが、コストが高く、本発明のファン５を形成しにくい。そのため、ポリアミド系樹脂にガラスファイバーを加えた材料を用いる方が、本発明のファン５を形成しやすく、また、コスト面でも優れている。
【００２１】
図３より、本発明の使用状況について説明する。チェーンソーを駆動させることによって、スプロケット１が回転し、続いてチェーン１１４がガイドバー１１３を周回する。チェーン１１４の周回により、木材等は切断されるが、その切り粉がフレーム１０６内に入り込む。
【００２２】
一方、スプロケット１が回ることで遠心ファン５が回転し、フレーム１０６内で空気がかき回され、矢印のようにフレームの底方向に風が吐き出されるようになる。この風の流れによって、フレーム１０６に入り込む切り粉や、フレーム内の隙間１１９に溜まる切り粉がかき出されて、フレーム１０６の底の開口部１１８から排出される。
【産業上の利用可能性】
【００２３】
以上、本発明の構成により、切り粉がチェーンソー本体に溜まらないようにする効果が得られるものである。また、スプロケットをファン付きのものにすれば良いので、チェーンソーの構造を大幅に変える必要が無いため、容易に採用することが可能である。
【符号の説明】
【００２４】
１、１０１    スプロケット
２    ギア部
３    台座部
４    ファン
１０６    フレーム
１０７    固定子
１０８    回転子
１０９    シャフト
１１０    ベアリング
１１１    ベアリングブラケット
１１２    ピニオンギア
１１３    ガイドバー
１１４    チェーン
１１５    スプロケットサポート
１１６    スプロケットカバー
１１７    フロントハンドガード
１１８    開口部
１１９    隙間
【図１】
2010221517.tif 000003
【図２】
2010221517.tif 000004
【図３】
2010221517.tif 000005
【図４】
2010221517.tif 000006
【図５】
2010221517.tif 000007